(57)【特許請求の範囲】
【請求項１】
基材の少なくとも一方の面の印字層を施す領域に、下地印刷層、インキジェットプリンタ（以下、ＩＪＰと記す）受像層、水性インキを用いるＩＪＰにより印字層を施す印字層、を順次積層するとともに、さらにその上に剥離ニス層、隠蔽層、絵柄印刷層を順次積層してなる情報隠蔽印刷物。
【請求項２】
前記ＩＪＰ受像層が、樹脂に多孔質物質を配合した成分からなることを特徴とする請求項１に記載の情報隠蔽印刷物。
【請求項３】
前記下地印刷層が、多孔質顔料及び任意の色調を表現する顔料を樹脂に配合した印刷インキにより印刷され、該下地印刷層がＩＪＰ受像機能を有することを特徴とする請求項１に記載の情報隠蔽印刷物。
【請求項４】
前記多孔質物質が、粒径０．０１μｍ〜１００μｍからなり、該多孔質物質は樹脂分に対しての配合比は、０．１％〜８０％の範囲とすることを特徴とする請求項１、請求項２又は３に記載の情報隠蔽印刷物。
【請求項５】
前記下地印刷層の印刷濃度が、ＰＣＳ値で０．０１〜０．９の範囲に濃度管理したことを特徴とする請求項１〜４のいずれかに記載の情報隠蔽印刷物。
【発明の詳細な説明】
【０００１】
【発明の属する技術分野】
本発明は、情報隠蔽印刷物に関するもので、特に媒体（用紙基材）を選ぶことなくインクジェットプリンタ（ＩＪＰ）による印字を可能にした情報隠蔽印刷物に関するものである。
【０００２】
【従来の技術】
従来より、有価証券の番号、文字、パターン等の抽選パターンをゴム系インキ等で隠蔽し、この情報隠蔽層をスクラッチオフ（削り取る）することにより抽選パターンを露出させ当たり、ハズレを決めるようにした抽選券、入場券、ゲーム券等の情報隠蔽印刷物が知られており、通称スクラッチオフ籤券として実用化されている。
例えば、図３に示すように、用紙等からなる基材１１上の一部領域に当たり、ハズレを表示する文字、番号、パターン等による印字データ１６を設け、この印字データを被覆するように剥離ニスを兼ねた透明樹脂層１２と、この透明樹脂層１２上に印字データ１６が見えないようにアルミ等の金属粉等を混合したゴム系インキによるスクラッチ銀インキ層１３（隠蔽層）と、さらにこの上に柄模様などの印刷層１５を設けたものである。この籤券の利用者は印刷層１５と隠蔽層１３を削り取ることにより印字データ１６を露出させ、当たり、ハズレかを確認することができる。
【０００３】
この既存の情報隠蔽印刷物（スクラッチオフ籤券等）は、隠蔽層の下層に施す抽選パターン（以下、ゲーム部）はドットプリンターによる印字で、管理番号であるＯＣＲ番号は番号印刷機にて対応している。なお、両者ともコンピューター管理により可変である。しかし、前記ゲーム部印字のドットプリンターは印字濃度が低く、かつ低速であるため作業性、印字品質共に十分ではない。また、管理番号のＯＣＲ番号は印字可能であるが、バーコードやランダムの数字への対応は困難である。
【０００４】
これらに対応して、インキジェットプリンタ（以下、ＩＪＰ、と記す）による印字方法がある。これは、印字濃度が高く、品質（解像度）も優れている。また、印刷処理能力も高く、かつバーコードの他、ゲーム部の画像印字も可能で、しかも、印字部に盛り上がり（印字圧やインキ厚による）がないため、隠蔽層に凹凸が発生しない（凹凸があると隠蔽層上からゲーム部等の情報が視認できる）。以上のことから、ＩＪＰ印字方式の導入が理想的であるが、しかし、問題点もある。
【０００５】
すなわち、ＩＪＰ印字は水性インキを使用するが、撥水性があり受像する基材を選ばねばならない。上質紙を選ぶと、ＩＪＰインキは含浸するため、定着はするが、ビリツキ（文字等のエッジが直線にならない、滲む等）が発生し、印字品質は悪くなる。特にバーコード印字品質等に影響がある。さらに、上質紙等を用いるとグラビア、フレキソ、スクリーン等の低粘度のインキによる印刷の場合、ＩＪＰと同様に印刷品質にビリツキ等の影響がでる。また、これらを情報隠蔽印刷物に用いた場合、強光源からの隠蔽性を考慮し、黒紙、アルミ箔等の隠蔽性の高い素材をサンドラミ、或いはコーティングした用紙を用いるが、上記のような低粘度のインキ又はニスを用いるとニスがしみ込み、内部や反対面の隠蔽層の色が表面上に現れる可能性がある。
【０００６】
上質紙（基材）のこのような不具合を解決する手段として、コート紙、アート紙、プラスチックシート等を表面に施し、表面平滑性を高めると同時に、ニス等のしみ込みに対する「目止め」効果を持たせることが得策であるが、そうするとＩＪＰによる印字が定着しないという矛盾が生じる。
【０００７】
【発明が解決しようとする課題】
また、一般的な樹脂インキによる印刷を施した場合、そのインキも一般的にはアクリル、酢酸ビニル、塩化ビニル、亜麻仁油、ポリエステル等を主成分としているため、この上へのＩＪＰ印字は定着しないという不具合もある。このため、ＩＪＰ印字の上に印刷を施して印字を覆うという対策を取らざるを得ないが、ＩＪＰ印字の上に印刷インキが施されるので、印字濃度が薄くなり視認性が悪くなる等の他、機械読み取りデータの場合、読み取り不良が懸念される。従って、フルカラー印刷やベタ印刷等の上へのＩＪＰ印字は不可能である。さらには、用紙へのコロナ放電処理によりＩＪＰ印字の定着性の可能性はあるが、放電直後にしかその効果はなく、品質安定性には問題がある。
【０００８】
そこで本発明は、上記の課題に鑑みなされたもので、水性インキを用いるインキジェットプリンター（ＩＪＰ）による印字を施す際に、ＩＪＰ印字と用紙基材との間、或いはＩＪＰ印字と下地印刷層との間に、ＩＪＰ受理を可能とした受像層を印刷にて施し、用紙に制限を持たなくても良い印刷層構成による情報隠蔽印刷物を提供することにある。
【０００９】
【課題を解決するための手段】
上記目的を達成するために本発明は、基材の少なくとも一方の面の印字層を施す領域に、下地印刷層、インキジェットプリンタ（以下、ＩＪＰと記す）受像層、水性インキを用いるＩＪＰにより印字層を施す印字層、を順次積層するとともに、さらにその上に剥離ニス層、隠蔽層、絵柄印刷層を順次積層してなる情報隠蔽印刷物である。
また、前記ＩＪＰ受像層が、樹脂に多孔質物質を配合した成分からなることを特徴とす
る請求項１に記載の情報隠蔽印刷物からなることを特徴とするものである。
さらには、前記下地印刷層が、多孔質顔料及び任意の色調を表現する顔料を樹脂に配合した印刷インキにより印刷され、該下地印刷層がＩＪＰ受像機能を有することを特徴とする。
【００１０】
さらに、前記多孔質物質が、粒径０．０１μｍ〜１００μｍからなり、該多孔質物質は樹脂分に対しての配合比は、０．１％〜８０％の範囲とすることを特徴とする。
また、前記下地印刷層の印刷濃度が、ＰＣＳ値で０．０１〜０．９の範囲に濃度管理したことを特徴とする。
【００１１】
【発明の実施の形態】
本発明は、水性インキを用いるインキジェットプリンタ（ＩＪＰ）による印字を施す際に、ＩＪＰ印字と用紙基材との間、或いはＩＪＰ印字と下地印刷層との間に、ＩＪＰ印字の受理を可能とした受像層を印刷にて施し、用紙に制限を持たなくても良い印刷層構成による情報隠蔽印刷物を提供するものである。
【００１２】
以下、図に基づき本発明の実施の形態を詳細に説明する。
図１は、本発明の一実施例における情報隠蔽印刷物を示す断面で表した説明図である。
【００１３】
図に示すように、基材１は制限されるものではなく、基材の表面層はアルミ蒸着紙、上質紙、アート紙、コート紙の他、ＰＶＣやＰＥＴ等のプラスチックシート基材も使用可能である。なお、アート紙、コート紙、プラスチックシート基材は印刷インキのビリツキが発生せず、良好な印刷品質が得られるので好ましい。また、基材の中間層や表裏面にアルミや濃色層を施し、強光源に対する隠蔽効果とすることも可能である。
【００１４】
この基材１上に、下地印刷層２を印刷する。印刷方式はオフセツト、グラビア、フレキソ、スクリーン、テジタル印刷等いずれも可能で、使用するインキは、塩化ビニル、酢酸ビニル、ウレタン、アクリル、ＰＶＡ、ポリエチレン、亜麻仁油等制限されるものではなく、単色の他、罫線、万線、ベタ、フルカラー等デザインにおいても制限されるものではない。但し、この上に施すＩＪＰ印字に、ＯＣＲ、バーコード等の光学的機械読み取り機能を施す際は、印刷濃度が影響する可能性があるので、この場合、印刷部の濃度をＰＣＳ値で０．０１〜０．９の濃度値として濃度管理することが望ましい。すなわち、０．０１以下であると印刷濃度が得られず、デザイン性も得られないし、０．９以上であると光学的機械読み取りに支障を来すためである。
【００１５】
なお、この下地印刷層２を設けなくともＩＪＰ印字、隠蔽層に問題はないが、ＩＪＰ印字データを切り貼りする等の改ざん防止策として下地層を設けることが望ましい。また、デザインは単純なものではなく、従来から実施されている証券地紋の一種である罫線、万線等を用いることで十分な防止策となる。また、防止効果としてはフルカラー印刷を施すことも可能で、さらに、デザイン性も広がる等の特徴を有する。
【００１６】
次に、この上にＩＪＰ受理を可能としたＩＪＰ受像層３を印刷にて施す。但し、このＩＪＰ受像層３は、ＩＪＰ印字と基材１との間、またはＩＪＰ印字と下地印刷層２との間に施すことも可能である。
このＩＪＰ受像層３は、ポリビニルアルコール、水性ウレタン、ゼラチン、寒天、亜麻仁油、ポリエチレン系、塩化ビニル系、酢酸ビニル系、その共重合体、アクリル、ウレタン等の樹脂とする。これにＩＪＰの水性インキを吸着させる物質としてシリカゲル等の多孔質物質を配合する。この多孔質物質は毛細管現象により液体を瞬時に吸着させる性質を持っている。
【００１７】
この多孔質物質は、粒径が０．０１μｍ〜１００μｍのものを用いると良い。すなわち、０．０１μｍ未満であると十分な毛細管現象が得られないし、１００μｍを超えると印刷適性が得られないため、好ましくは０．０１μｍ〜１０μｍが好適である。また、この多孔質物質の樹脂分に対しての配合比は、０．１％〜８０％の範囲で配合する。好ましくは、０．１％〜２０％がよく、０．１％以下であると十分なＩＪＰ印字の受像機能が得られないし、８０％以上であると印刷適性が得られないからである。
【００１８】
次に、このＩＪＰ受像層３上にＩＪＰ印字層４を設ける。上述のように、この受像層３はＩＪＰ印字層の定着を可能とする。さらに、その上に剥離ニス５を施すもので、隠蔽層をスクラッチ（削り取る）する際の剥離適性、並びに剥離した場合のＩＪＰ印字層の表面保護性を保持する。この剥離ニスの印刷はグラビア、スクリーン、オフセット、フレキソ印刷方式のいずれかを選択することが可能である。なお、基材１が上質紙であるとこのニスのしみ込みがあり、例えば、基材用紙がアルミサンドであったり、黒コートサンド、裏面に濃色コート、或いは印刷された用紙の場合、表面上に浮かび上がることがある。この場合、基材表面の白色度が低下し、視認性が悪くなる他、バーコード等の光学的機械読み取り適性にも支障が生じる。しかし、ＩＪＰ受像層３を施すことで、上質紙を用いなくともＩＪＰインキが定着するし、基材にコート紙等を採用すればニスのしみ込みがなくなり、不具合は解消される。また、ＩＪＰ受像層自体も目止め効果を確保でき、上質紙を使用した場合でも白色度の低下を防止することができる。
【００１９】
ＩＪＰ受像層３を基材全体に施すことも可能であるが、ＩＪＰ印字をしない箇所にも印字層を施すことになり、これではＩＪＰ受像層によって基材用紙の表面平滑性が損なわれることになるため、ＩＪＰ印字する箇所のみにスポット印刷することで、用紙の機能性、印刷品質の両方を活かすことができる。
【００２０】
次に、剥離ニス５上に隠蔽層６（スクラッチインキ層）を設ける。さらに、この上に絵柄印刷層７を施す。この絵柄印刷層７はオーバープリント印刷でもよく、また、全てフルカラーでオーバープリントしてもよく、隠蔽層上と基材上との絵柄層を個別に印刷することも可能である。また、印刷はオフセツト、グラビア、フレキソ、スクリーン、デジタル印刷方式のいずれでも良い。なお、印刷は低粘度のインキを使用する場合、品質の確保するため表面平滑性の高い用紙を選定することがよい。
【００２１】
図２は、本発明の他の実施例における情報隠蔽印刷物を示す断面で表した説明図である。
本発明の構成は、概ね、前記（図１に基づく実施の形態）と同様の構成になっているが、異なる点は、下地印刷層２Ａである。前記においては、下地印刷層２上にＩＪＰ受像層３を印刷することでＩＪＰの印字適性を保持させていたが、図２に示すように、この場合は下地印刷層２Ａに、予めＩＪＰ印字適性を持たせていることを特徴とするもので、インキとして多孔質顔料を前記同様に０．１〜８０％配合し、さらに任意の色調を表現する顔料を配合する。配合比は樹脂分に対して０．０１〜５０％の間である。なお、０．０１％以下であると色調として視認不可能であり、５０％以上であると印刷適性が確保できないためである。また、インキ濃度はＩＪＰによる印字を光学的機械読み取り、検査を行う場合は、前述と同様の濃度管理を行う必要がある。
【００２２】
この場合、インキの色は１色に限定されず、２色以上の掛け合わせにてフルカラーや特色等の印刷を施すことは可能である。また、アルミ蒸着紙や着色用紙等を用いる場合は、その用紙の色や光学的反射により光学的な読み取りを損なうことがある。この場合、下地印刷層２Ａのインキは予め印刷濃度を管理することにより、光学的機能性を確保されるため、障害がなく、用紙の制限がない。
【００２３】
さらに、図１の場合は、ＩＪＰ受像層の印刷のため１つの印刷ユニットを必要としたが、図２の場合、専用層ではないので１つの印刷ユニットの削減を可能にする。これによつて、余った１ユニットを図１同様に下地印刷に利用することも可能となる。なお、この下地印刷層２ＡによるＩＪＰ受像層の面積は、１０％〜１００％迄とする。すなわち、１０％以下では十分なＩＪＰ受像適性が得られないからである。
【００２４】
【発明の効果】
本発明は以上の構成であるから、下記に示す如き効果がある。
すなわち、水性インキによるＩＪＰ印字の受像適性を確保するのと同時に、使用する基材用紙に制限を持たない方式となると共に、ＩＪＰ印字の下地に各種の印刷を施すことが可能となる。
また、光学的機械読み取りに支障を来す基材であっても、ＩＪＰ受像層を設けることにより読み取り適性を確保することができる等の優れた効果を奏する。
【図面の簡単な説明】
【図１】本発明の一実施例における情報隠蔽印刷物を断面で表した説明図である。
【図２】本発明の他の実施例における情報隠蔽印刷物を断面で表した説明図である。
【図３】従来の情報隠蔽印刷物の一例を示す説明図である。
【符号の説明】
１，１１……基材用紙
２，２Ａ……下地印刷層
３      ……ＩＪＰ受像層
４      ……ＩＪＰ印字層
５      ……剥離ニス
６      ……隠蔽層
７      ……絵柄印刷層
１２    ……透明樹脂層
１３    ……情報隠蔽層
１５    ……印刷層
１６    ……印字データ
【図１】
0003952674.tif 000002
【図２】
0003952674.tif 000003
【図３】
0003952674.tif 000004